(57)【要約】  所定の単位内に設置されている複数の電気機器各々の動作状態を示す電気機器動作情報を取得する電気機器動作情報取得部（１１）と、予め登録された携帯端末装置（４０）から、当該携帯端末装置（４０）を所有しているユーザの状況を示すユーザ状況情報を取得するユーザ状況情報取得部（１２）と、電気機器動作情報及びユーザ状況情報に基づいて、所定の単位内で生活するユーザの生活パターンを推定する生活パターン推定部（１３）と、を有する管理装置（１０）。
2015129566.tif 000002
【特許請求の範囲】
【請求項１】
所定の単位内に設置されている複数の電気機器各々の動作状態を示す電気機器動作情報を取得する電気機器動作情報取得手段と、
予め登録された携帯端末装置から、当該携帯端末装置を所有しているユーザの状況を示すユーザ状況情報を取得するユーザ状況情報取得手段と、
前記電気機器動作情報及び前記ユーザ状況情報に基づいて、前記所定の単位内で生活するユーザの生活パターンを推定する生活パターン推定手段と、
を有する管理装置。
【請求項２】
請求項１に記載の管理装置において、
前記生活パターン推定手段は、前記生活パターンとして、ユーザによる前記電気機器の利用パターンを推定する管理装置。
【請求項３】
請求項１または２に記載の管理装置において、
前記ユーザ状況情報取得手段は、前記ユーザ状況情報として位置情報を取得する管理装置。
【請求項４】
請求項３に記載の管理装置において、
前記生活パターン推定手段は、稼働中の前記電気機器と所定の位置関係にある前記携帯端末装置を所有しているユーザが、当該電気機器を利用していると推定する管理装置。
【請求項５】
請求項１から４のいずれか１項に記載の管理装置において、
複数の前記携帯端末装置を登録することができ、
前記生活パターン推定手段は、登録されている前記携帯端末装置を所有しているユーザごとに、前記生活パターンを推定する管理装置。
【請求項６】
請求項５に記載の管理装置において、
複数の前記携帯端末装置各々から取得した前記ユーザ状況情報各々に基づいて特定した所定のタイミングを起点としたユーザの生活パターンを推定する管理装置。
【請求項７】
請求項１から６のいずれか１項に記載の管理装置において、
前記ユーザ状況情報取得手段は、所定のタイミングで前記携帯端末装置に前記ユーザ状況情報のリクエストを送信し、当該リクエストに応じて前記携帯端末装置が収集し、送信してきた前記ユーザ状況情報を取得する管理装置。
【請求項８】
請求項１から６のいずれか１項に記載の管理装置において、
前記ユーザ状況情報取得手段は、所定のタイミングで前記携帯端末装置が収集し、送信してきた前記ユーザ状況情報を取得する管理装置。
【請求項９】
請求項１から８のいずれか１項に記載の管理装置において、
前記電気機器動作情報取得手段は、前記所定の単位内に設置された電力測定装置から前記所定の単位内における電力使用量を示す電力使用情報を取得し、前記電力使用情報に基づいて、複数の前記電気機器各々の動作状態を示す前記電気機器動作情報を生成する管理装置。
【請求項１０】
請求項１から９のいずれか１項に記載の管理装置において、
前記生活パターン推定手段が推定した前記生活パターンに基づいて、複数の前記電気機器を制御する電気機器制御手段をさらに有する管理装置。
【請求項１１】
請求項１０に記載の管理装置において、
前記電気機器制御手段は、前記ユーザ状況情報取得手段から前記ユーザ状況情報を取得し、当該ユーザ状況情報に基づいて、前記電気機器を前記生活パターンに従った態様で動作させる条件が満たされているか否か確認し、満たされている場合、前記電気機器を前記生活パターンに従った態様で動作させる管理装置。
【請求項１２】
請求項１から９のいずれか１項に記載の管理装置から前記生活パターンを取得する生活パターン取得手段と、
前記生活パターンに基づいて、複数の前記電気機器を制御する電気機器制御手段と、
を有する動作制御装置。
【請求項１３】
請求項１２に記載の動作制御装置において、
前記電気機器制御手段は、予め登録された前記携帯端末装置からユーザの状況を示す前記ユーザ状況情報を取得し、前記ユーザ状況情報に基づいて、前記電気機器を前記生活パターンに従った態様で動作させる条件が満たされているか否か確認し、満たされている場合、前記電気機器を前記生活パターンに従った態様で動作させる動作制御装置。
【請求項１４】
請求項１から９のいずれか１項に記載の管理装置と、
請求項１２または１３に記載の動作制御装置と、
を有する電気機器管理システム。
【請求項１５】
コンピュータを、
所定の単位内に設置されている複数の電気機器各々の動作状態を示す電気機器動作情報を取得する電気機器動作情報取得手段、
予め登録された携帯端末装置から、当該携帯端末装置を所有しているユーザの状況を示すユーザ状況情報を取得するユーザ状況情報取得手段、
前記電気機器動作情報及び前記ユーザ状況情報に基づいて、前記所定の単位内で生活するユーザの生活パターンを推定する生活パターン推定手段、
として機能させるためのプログラム。
【請求項１６】
コンピュータを、
請求項１から９のいずれか１項に記載の管理装置から前記生活パターンを取得する生活パターン取得手段、
前記生活パターンに基づいて、複数の前記電気機器を制御する電気機器制御手段、
として機能させるためのプログラム。
【請求項１７】
コンピュータが、
所定の単位内に設置されている複数の電気機器各々の動作状態を示す電気機器動作情報を取得する電気機器動作情報取得工程と、
予め登録された携帯端末装置から、当該携帯端末装置を所有しているユーザの状況を示すユーザ状況情報を取得するユーザ状況情報取得工程と、
前記電気機器動作情報及び前記ユーザ状況情報に基づいて、前記所定の単位内で生活するユーザの生活パターンを推定する生活パターン推定工程と、
を実行する管理方法。
【請求項１８】
コンピュータが、
請求項１から９のいずれか１項に記載の管理装置から前記生活パターンを取得する生活パターン取得工程と、
前記生活パターンに基づいて、複数の前記電気機器を制御する電気機器制御工程と、
を実行する動作制御方法。
【発明の詳細な説明】
【技術分野】
【０００１】
本発明は、管理装置、動作制御装置、電気機器管理システム、管理方法、動作制御方法及びプログラムに関する。
【背景技術】
【０００２】
特許文献１には、ユーザの自宅内に設置された電力モニタ、家電動作モニタ、温湿度センサ、水道センサ、人感センサ、押しボタンスイッチなどから収集した情報を利用して、ユーザの生活行動を分析する技術が開示されている。【０００３】
特許文献２には、家電製品の電力消費量を測定し、管理するとともに、家電製品の動作を制御するエネルギー管理システムが開示されている。
【先行技術文献】
【特許文献】
【０００４】
【特許文献１】特開２００５−１１５４１２号公報
【特許文献２】特開２０１３−６５１８９号公報
【発明の概要】
【発明が解決しようとする課題】
【０００５】
特許文献１に記載の技術のように、自宅内に設置された装置から収集した情報のみを利用してユーザの生活パターンを分析する場合、収集できる情報が限られるので、推定できる生活パターンも限られてしまう。特許文献２は、当該課題を解決する手段を開示していない。【０００６】
本願発明は、従来に比べて多様な生活パターンを推定できる技術を提供することを課題とする。
【課題を解決するための手段】
【０００７】
本発明によれば、
所定の単位内に設置されている複数の電気機器各々の動作状態を示す電気機器動作情報を取得する電気機器動作情報取得手段と、
予め登録された携帯端末装置から、当該携帯端末装置を所有しているユーザの状況を示すユーザ状況情報を取得するユーザ状況情報取得手段と、
前記電気機器動作情報及び前記ユーザ状況情報に基づいて、前記所定の単位内で生活するユーザの生活パターンを推定する生活パターン推定手段と、
を有する管理装置が提供される。【０００８】
また、本発明によれば、
前記管理装置から前記生活パターンを取得する生活パターン取得手段と、
前記生活パターンに基づいて、複数の前記電気機器を制御する電気機器制御手段と、
を有する動作制御装置が提供される。【０００９】
また、本発明によれば、前記管理装置と、前記動作制御装置と、を有する電気機器管理システムが提供される。【００１０】
また、本発明によれば、
コンピュータを、
所定の単位内に設置されている複数の電気機器各々の動作状態を示す電気機器動作情報を取得する電気機器動作情報取得手段、
予め登録された携帯端末装置から、当該携帯端末装置を所有しているユーザの状況を示すユーザ状況情報を取得するユーザ状況情報取得手段、
前記電気機器動作情報及び前記ユーザ状況情報に基づいて、前記所定の単位内で生活するユーザの生活パターンを推定する生活パターン推定手段、
として機能させるためのプログラムが提供される。【００１１】
また、本発明によれば、
コンピュータを、
前記管理装置から前記生活パターンを取得する生活パターン取得手段、
前記生活パターンに基づいて、複数の前記電気機器を制御する電気機器制御手段、
として機能させるためのプログラムが提供される。【００１２】
また、本発明によれば、
コンピュータが、
所定の単位内に設置されている複数の電気機器各々の動作状態を示す電気機器動作情報を取得する電気機器動作情報取得工程と、
予め登録された携帯端末装置から、当該携帯端末装置を所有しているユーザの状況を示すユーザ状況情報を取得するユーザ状況情報取得工程と、
前記電気機器動作情報及び前記ユーザ状況情報に基づいて、前記所定の単位内で生活するユーザの生活パターンを推定する生活パターン推定工程と、
を実行する管理方法が提供される。【００１３】
また、本発明によれば、
コンピュータが、
前記管理装置から前記生活パターンを取得する生活パターン取得工程と、
前記生活パターンに基づいて、複数の前記電気機器を制御する電気機器制御工程と、
を実行する動作制御方法が提供される。
【発明の効果】
【００１４】
本発明によれば、従来に比べて多様な生活パターンを推定することが可能となる。
【図面の簡単な説明】
【００１５】
上述した目的、およびその他の目的、特徴および利点は、以下に述べる好適な実施の形態、およびそれに付随する以下の図面によってさらに明らかになる。【００１６】
【図１】本実施形態の装置のハードウエア構成の一例を概念的に示す図である。
【図２】本実施形態の管理装置の適用例の全体像を模式的に示す図である。
【図３】本実施形態の管理装置の適用例の全体像を模式的に示す図である。
【図４】本実施形態の管理装置の機能ブロック図の一例を示す図である。
【図５】本実施形態の管理装置が管理する情報の一例を模式的に示す図である。
【図６】本実施形態の管理装置の機能ブロック図の一例を示す図である。
【図７】本実施形態の管理装置又は動作制御装置が管理する情報の一例を模式的に示す図である。
【図８】本実施形態の管理装置又は動作制御装置による処理の流れの一例を示すフローチャートである。
【図９】本実施形態の電気機器管理システムの機能ブロック図の一例を示す図である。
【発明を実施するための形態】
【００１７】
まず、本実施形態の装置のハードウエア構成の一例について説明する。
【００１８】
本実施形態の装置が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００１９】
図１は、本実施形態の装置のハードウエア構成の一例を概念的に示す図である。図示するように、本実施形態の装置は、例えば、バス５Ａで相互に接続されるＣＰＵ１Ａ、ＲＡＭ（Random Access Memory）２Ａ、ＲＯＭ（Read Only Memory）３Ａ、通信部４Ａ等を有する。なお、図示しないが、本実施形態の装置は、操作受付部、操作部、表示制御部、表示部、補助記憶装置、外部機器と有線で接続される入出力Ｉ／Ｆ、マイク、スピーカ、カメラ等の他の要素を備えてもよい。
【００２０】
ＣＰＵ１Ａは各要素とともにコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置は、例えばＨＤＤ（Hard Disc Drive）であり、大きい記憶容量を有する。
【００２１】
通信部４Ａは、有線及び／又は無線での通信により、ＬＡＮ（Local Area Network）やインターネット等のネットワークに接続し、他の機器と通信可能に構成されている。なお、通信部４Ａは、所定の無線通信規格（例：Bluetooth（登録商標）、Wifi（登録商標））で他の機器と無線通信可能に構成されていてもよい。
【００２２】
操作受付部は、操作部を介した操作を受付ける。操作部は、操作キー、操作ボタン、スイッチ、ジョグダイヤル、キーボード、マウス、タッチパネルディスプレイなどを含む。
【００２３】
表示部は、表示装置（ＬＥＤ（Light Emitting Diode）表示器、液晶ディスプレイ、有機ＥＬ（Electro Luminescence）ディスプレイ等）を有する。表示装置は、タッチパッドと一体になったタッチパネルディスプレイであってもよい。表示制御部は、ＶＲＡＭ（Video RAM）に記憶されたデータを読み出し、読み出したデータに対して所定の処理を施した後、表示部に送って各種画面表示を行う。
【００２４】
以下、本実施の形態について説明する。なお、以下の実施形態の説明において利用する機能ブロック図は、ハードウエア単位の構成ではなく、機能単位のブロックを示している。これらの図においては、コントローラ及びサーバは各々１つの機器により実現されるよう記載されているが、その実現手段はこれに限定されない。すなわち、物理的に分かれた構成であっても、論理的に分かれた構成であっても構わない。
【００２５】
＜第１の実施形態＞
図２に、本実施形態の管理装置の適用例の全体像を模式的に示す。なお、図中、通信用ネットワークは実線で示し、電力送電用ネットワークは破線で示している。まず、当該図を用いて、本実施形態の概要を説明する。
【００２６】
図示するように、管理装置１０、宅内装置１００、携帯端末装置４０及び情報提供サーバ６０は、インターネットやＬＡＮ等のネットワーク３０を介して、互いに接続されている。
【００２７】
宅内装置１００は、ユーザの自宅７０に設置されている。宅内装置１００は、自宅７０に設置された電気機器５０の動作状態を示す情報を取得する。動作状態は、電源ＯＮ状態、電源ＯＦＦ状態、第１のモードで動作している状態等である。
【００２８】
例えば、宅内装置１００は、分電盤９０に設置された電力測定装置８０から、自宅７０の総消費電流、総電圧、総消費電力の中の少なくとも１つを示す測定データ（瞬時値の時系列データ）を取得する。測定データを取得した宅内装置１００は、測定データを利用して、電気機器５０の動作状態を特定してもよい。例えば、宅内装置１００は、測定データから抽出した特徴量と、予め保持している各電気機器５０の特徴量とを利用して、各電気機器５０の動作状態を特定してもよい。そして、宅内装置１００は、特定した各電気機器５０の動作状態を示す電気機器動作情報を管理装置１０に送信することができる。なお、宅内装置１００は、電気機器動作情報を送信する代わりに、取得した測定データを管理装置１０に送信してもよい。
【００２９】
その他、各電気機器５０に各電気機器５０の消費電流、入力電圧、消費電力を測定するセンサが取り付けられている場合、宅内装置１００は、当該センサが測定した各電気機器５０の測定データ（瞬時値の時系列データ）を取得してもよい。そして、宅内装置１００は、取得した測定データを利用して各電気機器５０の動作状態を特定し、特定した各電気機器５０の動作状態を示す電気機器動作情報を管理装置１０に送信してもよい。または、宅内装置１００は、各センサから取得した測定データを管理装置１０に送信してもよい。
【００３０】
管理装置１０は、例えばクラウドサーバである。管理装置１０は、インターネット３０を介して、宅内装置１００から、自宅７０に設置された電気機器５０の動作状態を示す電気機器動作情報を取得することができる。なお、管理装置１０は、電気機器動作情報の代わりに、上記測定データを取得してもよい。管理装置１０は、測定データを取得した場合、取得した測定データを利用して、自宅７０に設置された電気機器５０の動作状態を特定する。そして、特定した電気機器５０の動作状態を示す電気機器動作情報を生成する。
【００３１】
また、管理装置１０は、自宅７０を生活拠点としているユーザが所有する携帯端末装置４０から、ユーザの状況を示すユーザ状況情報を取得する。例えば、管理装置１０は、ユーザ状況情報として、ユーザの位置情報（携帯端末装置４０の位置情報）を取得する。携帯端末装置４０は、例えば、携帯電話、スマートフォン、タブレット、ＰＣ（Personal computer）、携帯ゲーム等である。
【００３２】
その他、管理装置１０は、情報提供サーバ６０から、気温、天気等、電気機器５０の使用状況に影響しうる環境情報を取得してもよい。
【００３３】
そして、管理装置１０は、取得した電気機器動作情報及びユーザ状況情報を利用して、ユーザの生活パターン、すなわち、電気機器の利用パターンを推定する。なお、管理装置１０は、さらに環境情報を利用して、ユーザの生活パターンを推定してもよい。
【００３４】
このような本実施形態の場合、自宅７０に設置された装置から収集した情報のみならず、ユーザが持ち運んで利用する携帯端末装置４０から収集した情報をも利用して、ユーザの生活パターンを推定することができる。さらには、気温、天気等、電気機器５０の使用状況に影響しうる環境情報をも利用して、ユーザの生活パターンを推定することができる。このような本実施形態によれば、従来に比べて多様な生活パターンを推定することが可能となる。
【００３５】
ここで、図３に、本実施形態の管理装置の他の適用例の全体像を模式的に示す。なお、図中、通信用ネットワークは実線で示し、電力送電用ネットワークは破線で示している。
【００３６】
図示するように、管理装置１０、携帯端末装置４０及び情報提供サーバ６０は、インターネットやＬＡＮ等のネットワーク３０を介して、互いに接続されている。
【００３７】
管理装置１０は、ユーザの自宅７０に設置されている。管理装置１０は、自宅７０に設置された電気機器５０の動作状態を示す電気機器動作情報を取得する。
【００３８】
例えば、管理装置１０は、分電盤９０に設置された電力測定装置８０から、自宅７０の総消費電流、総電圧、総消費電力を示す測定データ（瞬時値の時系列データ）を取得する。そして、管理装置１０は、取得した測定データから抽出した特徴量と、予め保持している各電気機器５０の特徴量とを利用して各電気機器５０の動作状態を特定し、特定した各電気機器５０の動作状態を示す電気機器動作情報を生成する。
【００３９】
その他、各電気機器５０に各電気機器５０の消費電流、入力電圧、消費電力を測定するセンサが取り付けられている場合、管理装置１０は、当該センサが測定した各電気機器５０の測定データ（瞬時値の時系列データ）を取得してもよい。そして、管理装置１０は、取得した測定データを利用して各電気機器５０の動作状態を特定し、電気機器動作情報を生成してもよい。
【００４０】
また、管理装置１０は、自宅７０を生活拠点としているユーザが所有する携帯端末装置４０から、ユーザの状況を示すユーザ状況情報を取得する。例えば、管理装置１０は、ユーザ状況情報として、ユーザの位置情報（携帯端末装置４０の位置情報）を取得する。
【００４１】
その他、管理装置１０は、情報提供サーバ６０から、気温、天気等、電気機器５０の使用状況に影響しうる環境情報を取得してもよい。
【００４２】
そして、管理装置１０は、取得した電気機器動作情報及びユーザ状況情報を利用して、ユーザの生活パターン、すなわち、電気機器の利用パターンを推定する。なお、管理装置１０は、さらに環境情報を利用して、ユーザの生活パターンを推定することもできる。当該例においても、図２を用いて説明した例と同様の作用効果を実現できる。
【００４３】
次に、各構成要素について詳細に説明する。図４に、本実施形態の管理装置１０の機能ブロック図の一例を示す。図示するように、管理装置１０は、電気機器動作情報取得部１１と、ユーザ状況情報取得部１２と、生活パターン推定部１３とを有する。
【００４４】
電気機器動作情報取得部１１は、所定の単位内に設置されている複数の電気機器５０各々の動作状態を示す電気機器動作情報を取得する。
【００４５】
所定の単位は、例えば、１つの家、１つの店舗、１つの会社、複数の家庭や複数の店舗や複数の会社などが存在する１つの建物、複数の家、店舗、会社等が集まった１つのコミュニティなどであってもよい。同様に、１つの家、店舗、会社等に設置される分電盤９０の１つの分岐毎のまとまりを、所定の単位とすることもできる。所定の単位は、少なくともその単位内における総消費電流（瞬時値）、総消費電力（瞬時値）、及び、電圧（瞬時値）の中の少なくとも１つを含む測定データを取得可能な単位であってもよい。上記コミュニティの場合、複数の家、店舗、会社等各々で測定した測定データを足し合わせることで、コミュニティの総消費電流（瞬時値）、総消費電力（瞬時値）、及び、電圧（瞬時値）を取得することができる。
【００４６】
電気機器５０の動作状態は、例えば、電気機器５０が動作している電源ＯＮ状態、電気機器５０が動作していない電源ＯＦＦ状態が考えられる。電源ＯＮ状態は、さらに、各電気機器５０が実行する各モード（例：エアコンの暖房モード、冷房モード、除湿モード、送風モード等）に応じて細分化されてもよい。
【００４７】
図２の構成の場合、電気機器動作情報取得部１１は、宅内装置１００から電気機器動作情報又は測定データ（電力使用情報）を取得する。
【００４８】
例えば、電気機器動作情報取得部１１は、分電盤９０に設置された電力測定装置８０が測定した自宅７０の総消費電流、総電圧、及び、総消費電力の中の少なくとも１つを含む測定データ（瞬時値の時系列データ）を、電力使用情報として宅内装置１００から取得する。そして、電気機器動作情報取得部１１は、取得した測定データ（電力使用情報）から所定の特徴量を抽出し、その後、抽出した特徴量と、予め保持しているユーザの自宅７０に設置されている電気機器５０各々の特徴量（各動作状態時の特徴量）とを利用して、各電気機器５０の動作状態を特定し、特定した動作状態を示す情報（電気機器動作情報）を生成する。測定データから各電気機器５０の動作状態を特定する処理は、従来技術に準じて実現できるので、ここでの説明は省略する。
【００４９】
なお、宅内装置１００が、測定データから特徴量を抽出し、抽出した特徴量と、予め保持しているユーザの自宅７０に設置されている電気機器５０の特徴量（各動作状態時の特徴量）とを利用して、各電気機器５０の動作状態を特定し、電気機器動作情報を生成してもよい。そして、電気機器動作情報取得部１１は、宅内装置１００から電気機器動作情報を取得してもよい。
【００５０】
その他、各電気機器５０に各電気機器５０の消費電流、入力電圧、消費電力を測定するセンサが取り付けられている場合、電気機器動作情報取得部１１は、当該センサが測定した各電気機器５０の測定データ（瞬時値の時系列データ）を、電力使用情報として宅内装置１００から取得してもよい。そして、当該電力使用情報を利用して、電気機器動作情報を生成してもよい。
【００５１】
なお、宅内装置１００が、センサから収集した測定データと、予め保持している各電気機器５０の特徴量（各動作状態時の特徴量）とを利用して、電気機器動作情報を生成してもよい。そして、電気機器動作情報取得部１１は、宅内装置１００から電気機器動作情報を取得してもよい。
【００５２】
一方、図３の構成の場合、電気機器動作情報取得部１１は、電力測定装置８０、及び／又は、各電気機器５０に取り付けられたセンサから、上述のような消費電流（瞬時値）、消費電力（瞬時値）、及び、電圧（瞬時値）の中の少なくとも１つを含む測定データを電力使用情報として取得する。そして、電気機器動作情報取得部１１は、取得した電力使用情報と、予め保持している各電気機器５０の特徴量（各動作状態時の特徴量）とを利用して、各電気機器５０の動作状態を示す電気機器動作情報を生成する。
【００５３】
なお、特徴量は、各電気機器５０の稼動時に測定される消費電流（瞬時値）、消費電力（瞬時値）、及び、電圧（瞬時値）の中の少なくとも１つを含む測定データ（例：波形データ）から抽出可能な特徴量であればよい。例えば特徴量は、消費電流の周波数強度・位相（高調波成分）、位相、消費電流の変化、平均値、ピーク値、実効値、波高率、波形率、電流変化の収束時間、通電時間、ピークの位置、電圧のピーク位置と消費電流のピーク位置との間の時間差、力率などであってもよい。
【００５４】
電気機器動作情報取得部１１は、リアルタイムに電気機器動作情報及び／又は電力使用情報を取得してもよいし、所定のタイミング毎（例：５秒毎、１分毎、３０分毎、１時間毎、６時間毎、１日毎）に、それまでのデータをまとめて取得してもよい。いずれにしても、電力使用情報及び電気機器動作情報は、年月日時刻情報と対応付けられている。
【００５５】
図４に戻り、ユーザ状況情報取得部１２は、予め登録された携帯端末装置４０から、当該携帯端末装置４０を所有しているユーザの状況を示すユーザ状況情報を取得する。ユーザは、自己が所有する携帯端末装置４０を管理装置１０に登録することができる。当該登録処理により、携帯端末装置４０のアドレス情報が管理装置１０に登録される。また、管理装置１０のアドレス情報が携帯端末装置４０に登録されてもよい。図２の構成の場合、管理装置１０は、携帯端末装置４０のアドレス情報を、ユーザの識別情報や、ユーザの自宅７０に設置された宅内装置１００の識別情報などに対応付けて記憶する。
【００５６】
ところで、自宅７０を生活拠点とするユーザが複数いる場合も考えられる。そこで、本実施形態では、複数のユーザ各々が所有する携帯端末装置４０を登録できてもよい。図５に、登録情報の一例を模式的に示す。図示する例の場合、複数のユーザ各々のユーザ名に対応付けて、各ユーザが所有する携帯端末装置４０のアドレス情報が登録されている。
【００５７】
ユーザ状況情報取得部１２が携帯端末装置４０から取得するユーザ状況情報は、携帯端末装置４０で取得可能なあらゆる情報を含む。例えば、携帯端末装置４０が屋外位置や屋内位置等の位置情報を取得する機能を有する場合、ユーザ状況情報取得部１２は、ユーザ状況情報として位置情報を取得することができる。位置情報の取得は、例えば、ＧＰＳ（Global Positioning System）、ＷｉＦｉ測位、基地局情報の利用、ＩＭＥＳ（Indoor Messaging System）等の技術を利用して実現できるが、これらに限定されない。その他、携帯端末装置４０が照度センサ、マイク、カメラ等を備えている場合、ユーザ状況情報取得部１２は、ユーザ状況情報として、照度情報、音量情報、画像等を取得することができる。
【００５８】
ユーザ状況情報取得部１２が携帯端末装置４０からユーザ状況情報を取得するタイミングは様々である。例えば、ユーザ状況情報取得部１２が所定のタイミング（例：定期的に、間欠的に）で、ユーザ状況情報のリクエストを各携帯端末装置４０に送信してもよい。そして、携帯端末装置４０は、リクエストを受信すると、それに応じて最新のユーザ状況情報を収集し、収集した最新のユーザ状況情報をユーザ状況情報取得部１２に返信してもよい。または、所定のタイミング（例：定期的に、間欠的に）で各携帯端末装置４０が最新のユーザ状況情報を収集し、収集した最新のユーザ状況情報を自発的にユーザ状況情報取得部１２に送信してもよい。いずれにしても、ユーザ状況情報は、年月日時刻情報と対応付けられており、電気機器動作情報と同期できるようになっている。
【００５９】
生活パターン推定部１３は、電気機器動作情報取得部１１が取得した電気機器動作情報、及び、ユーザ状況情報取得部１２が取得したユーザ状況情報を利用して、所定の単位内で生活するユーザ（所定の単位を生活拠点とするユーザ）の生活パターンを推定する。例えば、生活パターン推定部１３は、生活パターンとして、ユーザによる電気機器５０の利用パターンを推定する。なお、生活パターン推定部１３は、情報提供サーバ６０から、気温、天気等、電気機器５０の使用状況に影響しうる環境情報を取得し、環境情報をもさらに利用して、ユーザの生活パターンを推定してもよい。
【００６０】
電気機器動作情報取得部１１及びユーザ状況情報取得部１２が取得したユーザ状況情報及び電気機器動作情報は、ユーザが実際に行ったアクション（電気機器５０の動作状態の変更、ユーザ移動等）の履歴であり、これらを分析することで、ユーザが過去に実際に行った生活スタイルを推定できる。ユーザの生活パターンとは、ユーザ状況情報及び電気機器動作情報（さらに、環境情報を含んでもよい）から推定できるユーザが過去に実際に行った生活スタイルであり、例えば、一定以上の頻度（月に５回以上、週に４回以上等）で現れる生活スタイルであってもよい。
【００６１】
以下、生活パターン推定部１３が推定する生活パターンの一例を説明する。
【００６２】
例えば、生活パターン推定部１３は、ユーザ状況情報であるユーザの位置情報、及び、予め保持しているユーザの自宅７０の位置情報を利用して、ユーザの帰宅タイミング（帰宅時刻）を特定することができる（ユーザの位置がユーザの自宅７０の位置外から位置内になったタイミング）。そして、生活パターン推定部１３は、特定した帰宅タイミングと、電気機器動作情報とを利用して、ユーザの帰宅タイミングを起点とした電気機器５０各々の動作状態変化タイミング（例：電源ＯＦＦ状態から電源ＯＮ状態への変化）を、ユーザの生活パターンとして推定することができる。
【００６３】
具体例としては、「帰宅から５分以内に、エアコンの動作状態が電源ＯＦＦ状態から電源ＯＮ状態に変化する」という生活パターンが考えられる。さらに、環境情報を利用して、「気温が５℃以下の場合、帰宅から５分以内に、エアコンの動作状態が電源ＯＦＦ状態から電源ＯＮ状態（暖房モード）に変化する」という生活パターンを推定することもできる。なお、「電源ＯＮ状態（第１のモード）」とは、第１のモードで電源ＯＮ状態であることを意味する（以下、同様）。
【００６４】
他の例として、生活パターン推定部１３は、ユーザ状況情報であるユーザの位置情報、及び、予め保持しているユーザの自宅７０の位置情報を利用して、ユーザの帰宅時刻を特定することができる。そして、生活パターン推定部１３は、特定した帰宅時刻と、電気機器動作情報とを利用して、帰宅時刻と、電気機器５０各々の動作状態変化タイミング（例：電源ＯＦＦ状態から電源ＯＮ状態への変化）との因果関係を、生活パターンとして推定することができる。
【００６５】
具体例としては、「ユーザが２０時から２１時の間に帰宅した場合、帰宅から５分以内に、給湯システムの動作状態が電源ＯＦＦ状態から電源ＯＮ状態（風呂への給湯モード）に変化する」、「ユーザが１８時から１９時の間に帰宅した場合、給湯システムの動作状態が電源ＯＦＦ状態から電源ＯＮ状態（風呂への給湯モード）に変化するタイミングに規則性を認められない」という生活パターンが考えられる。
【００６６】
他の具体例としては、「ユーザが１８時から１９時の間に帰宅した場合、帰宅から５分以内に、エアコンの動作状態が電源ＯＦＦ状態から電源ＯＮ状態（暖房モード）に変化し、温度がＸ℃に設定される」、「ユーザが２１時から２２時の間に帰宅した場合、帰宅から５分以内に、エアコンの動作状態が電源ＯＦＦ状態から電源ＯＮ状態（暖房モード）に変化し、温度がＹ℃に設定される」という生活パターンが考えられる。
【００６７】
他の例として、生活パターン推定部１３は、ユーザ状況情報として、携帯端末装置４０に設定されたアラーム設定時刻を取得し、当該情報を利用してユーザの起床時刻を特定することができる。そして、生活パターン推定部１３は、特定した起床時刻と、電気機器動作情報とを利用して、ユーザの起床タイミングを起点とした電気機器５０各々の動作状態変化タイミング（例：電源ＯＦＦ状態から電源ＯＮ状態への変化）や、起床時刻と、電気機器５０各々の動作状態変化タイミング（例：電源ＯＦＦ状態から電源ＯＮ状態への変化）との因果関係等を、生活パターンとして推定することができる。
【００６８】
具体例として、「起床から５分以内に、エアコンの動作状態が電源ＯＦＦ状態から電源ＯＮ状態に変化する」、「気温が５℃以下の場合、起床から５分以内に、エアコンの動作状態が電源ＯＦＦ状態から電源ＯＮ状態（暖房モード）に変化する」という生活パターンが考えられる。
【００６９】
他の具体例として、「起床時刻が７時から８時の間である場合、起床から５分以内に、給湯システムの動作状態が電源ＯＦＦ状態から電源ＯＮ状態（熱湯供給可能モード）に変化する」、「起床時刻が８時以降である場合、起床から５分以内に、給湯システムの動作状態が電源ＯＦＦ状態から電源ＯＮ状態（風呂への給湯モード）に変化する」という生活パターンが考えられる。
【００７０】
なお、生活パターン推定部１３は、複数の携帯端末装置４０が登録されている場合、登録されている各携帯端末装置４０の所有者ごとに生活パターン（電気機器５０の利用パターン）を推定することができる。
【００７１】
例えば、生活パターン推定部１３は、ユーザ状況情報として登録された複数の携帯端末装置４０から取得した位置情報やアラーム設定時刻などを利用して、各ユーザの帰宅タイミングを起点とした電気機器５０各々の動作状態変化タイミング（例：電源ＯＦＦ状態から電源ＯＮ状態への変化）や、各ユーザの帰宅時刻と電気機器５０各々の動作状態変化タイミング（例：電源ＯＦＦ状態から電源ＯＮ状態への変化）との因果関係や、各ユーザの起床タイミングを起点とした電気機器５０各々の動作状態変化タイミング（例：電源ＯＦＦ状態から電源ＯＮ状態への変化）や、各ユーザの起床時刻と電気機器５０各々の動作状態変化タイミング（例：電源ＯＦＦ状態から電源ＯＮ状態への変化）との因果関係などを、各ユーザの生活パターンとして推定することができる。例えば、生活パターン推定部１３は、複数の携帯端末装置４０各々から取得したユーザ状況情報各々に基づいて特定した所定のタイミングを起点としたユーザの生活パターンを推定することができる。
【００７２】
具体例としては、「ユーザ（父）が帰宅してから５分以内に、給湯システムの動作状態が電源ＯＦＦ状態から電源ＯＮ状態（風呂への給湯モード）に変化する」、「気温が１０℃以下であり、かつ、ユーザ（母）の帰宅時にだれも在宅でない場合、ユーザ（母）が帰宅してから５分以内に、エアコンの動作状態が電源ＯＦＦ状態から電源ＯＮ状態（暖房モード）に変化する」、「気温が１０℃以下の場合、一番に起床した人が起床してから５分以内に、エアコンの動作状態が電源ＯＦＦ状態から電源ＯＮ状態（暖房モード）に変化する」という生活パターンが考えられる。
【００７３】
他の例として、例えば、生活パターン推定部１３は、ユーザ状況情報として登録された複数の携帯端末装置４０から取得した位置情報、予め保持している各電気機器５０が自宅７０内のどの部屋に設置されているかを示す情報、及び、電気機器動作情報を利用して、各電気機器５０（例：テレビ）が電源ＯＮ状態の時に、当該電気機器５０（例：テレビ）が設置された部屋に位置した携帯端末装置４０を特定することができる。そして、生活パターン推定部１３は、特定した携帯端末装置４０の所有者を、その電気機器５０を使用していたユーザとして特定することができる。このように、生活パターン推定部１３は、稼働中（電源ＯＮ状態）の電気機器５０と所定の位置関係（例：同じ部屋、電気機器５０から所定の距離以内等）にある携帯端末装置４０を所有しているユーザが、当該電気機器５０を利用していると推定することができる。
【００７４】
生活パターン推定部１３は、テレビが電源ＯＮ状態の時に、当該テレビが設置された部屋に位置した携帯端末装置４０を特定すると、当該携帯端末装置４０から、当該携帯端末装置４０のマイクを介して入力された音の音量情報を、ユーザ状況情報として取得してもよい。そして、生活パターン推定部１３は、当該携帯端末装置４０の所有者であるユーザがテレビを視聴するときの音量の傾向を、生活パターンとして推定してもよい。
【００７５】
なお、ここで例示した生活パターンはあくまで一例であり、生活パターン推定部１３は、ユーザ状況情報及び電気機器動作情報、さらに環境情報を利用して、様々な生活パターンを推定することができる。
【００７６】
生活パターン推定部１３が推定した生活パターンは、携帯端末装置４０に送信されてもよい。ユーザは、携帯端末装置４０を操作し、携帯端末装置４０が受信した生活パターンをディスプレイに出力させ、自己の生活パターンを把握することができる。
【００７７】
以上、本実施形態の管理装置１０によれば、従来に比べて多様の生活パターンを推定することができる。
【００７８】
＜第２の実施形態＞
まず、本実施形態の概要について説明する。本実施形態の管理装置１０は、第１の実施形態の構成で推定したユーザの生活パターンを利用して、複数の電気機器５０の動作を制御する機能を有する。具体的には、管理装置１０は、最新のユーザ状況情報を利用して、現在のユーザの状況が電気機器５０を生活パターン通りに動作させる条件を満たすか否か判断する。そして、満たすと判断した場合、管理装置１０は、電気機器５０を生活パターン通りに動作させる。一方、満たさないと判断した場合、管理装置１０は、電気機器５０を生活パターン通りに動作させない。
【００７９】
次に、各構成要素について詳細に説明する。図６に、本実施形態の管理装置１０の機能ブロック図の一例を示す。図示するように、管理装置１０は、電気機器動作情報取得部１１と、ユーザ状況情報取得部１２と、生活パターン推定部１３と、生活パターン記憶部１５と、電気機器制御部１６とを有する。
【００８０】
電気機器動作情報取得部１１、ユーザ状況情報取得部１２及び生活パターン推定部１３の構成は、第１の実施形態と同様である。
【００８１】
生活パターン記憶部１５は、生活パターン推定部１３が推定した生活パターンを記憶する。なお、生活パターン推定部１３が、登録されている携帯端末装置４０を所有しているユーザごとに生活パターン（電気機器５０の利用パターン）を推定した場合、生活パターン記憶部１５は、各ユーザに対応付けて生活パターンを記憶する。
【００８２】
電気機器制御部１６は、生活パターン推定部１３が推定した生活パターンを利用して、複数の電気機器５０を制御する。例えば、電気機器制御部１６は、ユーザ状況情報取得部１２から最新のユーザ状況情報を取得する。そして、電気機器制御部１６は、取得したユーザ状況情報を利用して、電気機器５０を生活パターンに従った態様で動作させる条件が満たされているか否か確認する。満たされている場合、電気機器制御部１６は、電気機器５０を生活パターンに従った態様で動作させる。一方、満たされていない場合、電気機器制御部１６は、電気機器５０を生活パターンに従った態様で動作させない。以下、具体例を示す。
【００８３】
＜例１＞
「生活パターン１：ユーザの帰宅時の気温が１０℃以下の場合、２１時５０分〜２２時の間に、給湯システムの動作状態が電源ＯＦＦ状態から電源ＯＮ状態（風呂への給湯モード）に変化」
【００８４】
当該例の場合、電気機器制御部１６は、例えば、定期的にユーザ状況情報取得部１２から最新のユーザ状況情報（位置情報）を取得し、ユーザの帰宅タイミングを監視する。そして、電気機器制御部１６は、ユーザが帰宅したタイミングで、例えば情報提供サーバ６０からその時点の気温を示す環境情報を取得する。そして、電気機器制御部１６は、環境情報で示される気温が１０℃以下か否かを判断する。１０℃より高い場合、電気機器制御部１６は、電気機器５０（給湯システム）を生活パターン１に従った態様で動作させる条件が満たされていないと判断する。
【００８５】
一方、１０℃以下である場合、電気機器制御部１６は、現在時刻が２１時５０分になるのを監視する。そして、２１時５０分になると、電気機器制御部１６は、ユーザ状況情報取得部１２から最新のユーザ状況情報（位置情報）を取得し、当該ユーザ状況情報を利用して、ユーザが在宅であるか否かを判断する。外出している場合、電気機器制御部１６は、電気機器５０（給湯システム）を生活パターン１に従った態様で動作させる条件が満たされていないと判断する。
【００８６】
一方、ユーザが在宅である場合、電気機器制御部１６は、電気機器５０（給湯システム）を生活パターン１に従った態様で動作させる条件が満たされていると判断する。そして、電気機器制御部１６は、電気機器５０（給湯システム）の動作状態が電源ＯＮ状態（風呂への給湯モード）となるように、電気機器５０（給湯システム）を制御する。
【００８７】
＜例２＞
「生活パターン２：ユーザ（母）の帰宅時の気温が１０℃以下、かつ、ユーザ（母）の帰宅時に誰も在宅でない場合、ユーザ（母）の帰宅から５分以内に、エアコンの動作状態が電源ＯＦＦ状態から電源ＯＮ状態（暖房モード）に変化」
【００８８】
当該例の場合、電気機器制御部１６は、例えば、ユーザ状況情報取得部１２を介して、ユーザ（母）が所有している携帯端末装置４０から定期的に最新のユーザ状況情報（位置情報）を取得する。そして、取得した当該ユーザ状況情報（位置情報）を利用して、ユーザ（母）の帰宅タイミングを監視する。そして、電気機器制御部１６は、ユーザ（母）が帰宅したタイミングで、ユーザ状況情報取得部１２を介して、他のユーザ（父等）が所有している携帯端末装置４０から最新のユーザ状況情報（位置情報）を取得する。そして、取得した当該ユーザ状況情報（位置情報）を利用して、他のユーザ（父等）の在宅か否かを判断する。また、電気機器制御部１６は、ユーザ（母）が帰宅したタイミングで、例えば情報提供サーバ６０からその時点の気温を示す環境情報を取得し、１０℃以下であるか否かを判断する。
【００８９】
他のユーザが在宅である、及び、気温が１０℃より高い、の少なくとも一方を満たす場合、電気機器制御部１６は、電気機器５０（エアコン）を生活パターン２に従った態様で動作させる条件が満たされていないと判断する。一方、他のユーザが在宅でなく、かつ、気温が１０℃以下の両方を満たす場合、電気機器制御部１６は、電気機器５０（エアコン）を生活パターン２に従った態様で動作させる条件が満たされていると判断する。そして、電気機器制御部１６は、電気機器５０（エアコン）の動作状態が電源ＯＮ状態（暖房モード）となるように、電気機器５０（エアコン）を制御する。
【００９０】
なお、電気機器制御部１６は、上記処理を、ユーザ（母）の帰宅タイミングで行うのでなく、帰宅より少し前のタイミング（例：ユーザ（母）の位置が自宅７０から所定の距離以内になったタイミング）で行ってもよい。
【００９１】
＜例３＞
「生活パターン３：ユーザが７時００分に起床し、かつ、起床時の気温が１０℃以下である場合、起床から５分以内に、エアコンの動作状態が電源ＯＦＦ状態から電源ＯＮ状態（暖房モード）に変化」
【００９２】
当該例の場合、電気機器制御部１６は、任意のタイミング（例：室内のすべての照明が消されたタイミング）で、ユーザ状況情報取得部１２を介して最新のユーザ状況情報（アラーム設定時刻）を取得する。そして、電気機器制御部１６は、アラーム設定時刻が７時００分であるか否かを判断する。７時００分でない場合、電気機器制御部１６は、電気機器５０（エアコン）を生活パターン３に従った態様で動作させる条件が満たされていないと判断する。
【００９３】
一方、７時００分である場合、電気機器制御部１６は、電気機器制御部１６は現在時刻を監視し、７時００分より所定時間前（例：５分）になるのを監視する。そして、７時００分より所定時間前（例：５分）になると、電気機器制御部１６は、ユーザ状況情報取得部１２から最新のユーザ状況情報（位置情報）を取得し、当該ユーザ状況情報を利用して、ユーザが在宅であるか否かを判断する。また、電気機器制御部１６は、そのタイミングで、例えば情報提供サーバ６０からその時点の気温を示す環境情報を取得し、１０℃以下であるか否かを判断する。
【００９４】
ユーザが在宅でない、及び、気温が１０℃より高い、の少なくとも一方を満たす場合、電気機器制御部１６は、電気機器５０（エアコン）を生活パターン３に従った態様で動作させる条件が満たされていないと判断する。一方、ユーザが在宅であり、かつ、気温が１０℃以下の両方を満たす場合、電気機器制御部１６は、電気機器５０（エアコン）を生活パターン３に従った態様で動作させる条件が満たされていると判断する。そして、電気機器制御部１６は、電気機器５０（エアコン）の動作状態が電源ＯＮ状態（暖房モード）となるように、電気機器５０（エアコン）を制御する。
【００９５】
＜例４＞
「生活パターン４：ユーザ（子供）が１８時から２４時までの時間帯にテレビを視聴している時、テレビを設置している部屋の照明の照度が強」
【００９６】
当該例の場合、電気機器制御部１６は、現在時刻情報を取得し、１８時から２４時の時間帯であるか否かを判断する。１８時から２４時の時間帯である場合、電気機器制御部１６は、電気機器動作情報を利用して、テレビの動作状態が電源ＯＮ状態であるか否かを監視する。そして、テレビの動作状態が電源ＯＮ状態である場合、電気機器制御部１６は、ユーザ状況情報取得部１２を介して、ユーザ（子供）が所有している携帯端末装置４０から最新のユーザ状況情報（位置情報）を取得する。
【００９７】
そして、ユーザ（子供）が所有している携帯端末装置４０がテレビを設置している部屋にない場合、電気機器制御部１６は、電気機器５０（テレビを設置している部屋の照明）を生活パターン４に従った態様で動作させる条件が満たされていないと判断する。一方、ユーザ（子供）が所有している携帯端末装置４０がテレビを設置している部屋にある場合、電気機器制御部１６は、電気機器５０（テレビを設置している部屋の照明）を生活パターン４に従った態様で動作させる条件が満たされていると判断する。そして、電気機器制御部１６は、電気機器５０（テレビを設置している部屋の照明）の動作状態が電源ＯＮ状態（照度が強）となるように、電気機器５０（テレビを設置している部屋の照明）を制御する。
【００９８】
＜例５＞
「生活パターン５：ユーザ（子供）がテレビを視聴している時、テレビの音量が△△以下」
【００９９】
当該例の場合、電気機器制御部１６は、電気機器動作情報を利用して、テレビの動作状態が電源ＯＮ状態であるか否かを監視する。そして、テレビの動作状態が電源ＯＮ状態である場合、電気機器制御部１６は、ユーザ状況情報取得部１２を介して、ユーザ（子供）が所有している携帯端末装置４０から最新のユーザ状況情報（位置情報）を取得する。
【０１００】
そして、ユーザ（子供）が所有している携帯端末装置４０がテレビを設置している部屋にない場合、電気機器制御部１６は、電気機器５０（テレビ）を生活パターン５に従った態様で動作させる条件が満たされていないと判断する。
【０１０１】
一方、ユーザ（子供）が所有している携帯端末装置４０がテレビを設置している部屋にある場合、電気機器制御部１６は、ユーザ状況情報取得部１２を介して、ユーザ（子供）が所有している携帯端末装置４０から最新のユーザ状況情報（マイクを介して入力された音声の音量情報）を取得し、音量が△△以下を満たすか判断する。
【０１０２】
音量が△△以下を満たす場合、電気機器制御部１６は、電気機器５０（テレビ）を生活パターン５に従った態様で動作させる条件が満たされていないと判断する。一方、音量が△△以下を満たさない場合、電気機器制御部１６は、電気機器５０（テレビ）を生活パターン５に従った態様で動作させる条件が満たされていると判断する。そして、電気機器制御部１６は、電気機器５０（テレビ）の動作状態が電源ＯＮ状態（音量が△△以下）となるように、電気機器５０（テレビ）を制御する。
【０１０３】
なお、ここで示した例はあくまで一例であり、電気機器制御部１６による制御内容は、その他の内容であってもよい。
【０１０４】
電気機器制御部１６は、生活パターンごとに、電気機器５０の動作状態、及び、電気機器５０の動作状態を当該状態とするための条件を対応付けた情報（図７参照）を保持しておき、当該情報を利用して、上記処理を実行してもよい。動作状態と条件を対応付けた情報は、生活パターンに基づいて電気機器制御部１６が自動的に生成してもよいし（生活パターンの中の、ユーザ状況情報、電気機器動作情報、環境情報で特定された部分（例：帰宅時間、気温、電気機器５０の利用者等）を条件として抽出）、または、生活パターンに基づいて人間が生成し、電気機器制御部１６に記憶してもよい。
【０１０５】
図８は、本実施形態の管理装置１０の処理の流れの一例を示すフローチャートである。
【０１０６】
まず、電気機器制御部１６は、ユーザ状況情報取得部１２から最新のユーザ状況情報を取得する（Ｓ１１）。この時、電気機器制御部１６は、電気機器動作情報取得部１１から最新の電気機器動作情報を取得してもよい。また、電気機器制御部１６は、情報提供サーバ６０から最新の環境情報を取得してもよい。
【０１０７】
その後、電気機器制御部１６は、取得した情報を利用して、電気機器５０を生活パターンに従った態様で動作させる条件が満たされているか否か判断する（Ｓ１２）。満たしていない場合（Ｓ１３のＮｏ）、電気機器制御部１６はＳ１１乃至Ｓ１３の処理を繰り返す。一方、満たしている場合（Ｓ１３のＹｅｓ）、電気機器制御部１６は所定の電気機器５０を制御し、生活パターンに従った動作状態に変更させる（Ｓ１４）。
【０１０８】
そして、電気機器制御部１６は、電気機器５０の制御を行う処理を終了する指示入力があると（Ｓ１５のＹｅｓ）、処理を終了する。一方、電気機器制御部１６は、電気機器５０の制御を行う処理を終了する指示入力がない場合（Ｓ１５のＮｏ）、Ｓ１１乃至Ｓ１５の処理を繰り返す。
【０１０９】
以上説明した本実施形態によれば、ユーザの生活パターンに沿った態様で動作するよう、電気機器５０を制御できる。このため、ユーザによる電気機器５０に対する操作がなくても、自動的に、電気機器５０によりユーザの生活パターンと認識されている態様で電気機器５０が動作させることができる。
【０１１０】
また、ユーザの現時点の状況を把握し、電気機器５０を生活パターンに沿った態様で動作させる条件が満たされているか否かを判断したうえで、電気機器５０を制御するので、ユーザが通常と異なるパターン（例：いつもより遅く帰宅、いつもは家にいる時間であるが外出している）で生活を送っているにも関わらず、電気機器５０を生活パターンに沿った態様で無駄に動作させ、電力を無駄にする等の不都合を効果的に回避することができる。
【０１１１】
また、第１の実施形態と同様の作用効果を実現することができる。
【０１１２】
＜第３の実施形態＞
図９に、本実施形態の電気機器管理システム１の機能ブロック図を示す。本実施形態の電気機器管理システム１は、管理装置１０と、動作制御装置２０とを有する。動作制御装置２０は、例えば、図２に示す宅内装置１００である。
【０１１３】
管理装置１０は、電気機器動作情報取得部１１と、ユーザ状況情報取得部１２と、生活パターン推定部１３と、送信部１７とを有する。動作制御装置２０は、生活パターン取得部２１と、電気機器制御部２２とを有する。
【０１１４】
送信部１７は、生活パターン推定部１３が推定した生活パターン（を示す情報）を動作制御装置２０に送信する。生活パターン取得部２１は、送信部１７から送信されてきた生活パターン（を示す情報）を取得する。
【０１１５】
電気機器制御部２２は、予め登録された携帯端末装置４０からユーザの状況を示す最新のユーザ状況情報を取得し、ユーザ状況情報を利用して、電気機器５０を生活パターンに従った態様で動作させる条件が満たされているか否か確認し、満たされている場合、電気機器５０を生活パターンに従った態様で動作させる。電気機器制御部２２の構成は、第２の実施形態で説明した電気機器制御部１６の構成と同様である。
【０１１６】
本実施形態によれば、第１及び第２の実施形態と同様の作用効果を実現することができる。
【０１１７】
以下、参考形態の例を付記する。
１．  所定の単位内に設置されている複数の電気機器各々の動作状態を示す電気機器動作情報を取得する電気機器動作情報取得手段と、
予め登録された携帯端末装置から、当該携帯端末装置を所有しているユーザの状況を示すユーザ状況情報を取得するユーザ状況情報取得手段と、
前記電気機器動作情報及び前記ユーザ状況情報に基づいて、前記所定の単位内で生活するユーザの生活パターンを推定する生活パターン推定手段と、
を有する管理装置。
２．  １に記載の管理装置において、
前記生活パターン推定手段は、前記生活パターンとして、ユーザによる前記電気機器の利用パターンを推定する管理装置。
３．  １または２に記載の管理装置において、
前記ユーザ状況情報取得手段は、前記ユーザ状況情報として位置情報を取得する管理装置。
４．  ３に記載の管理装置において、
前記生活パターン推定手段は、稼働中の前記電気機器と所定の位置関係にある前記携帯端末装置を所有しているユーザが、当該電気機器を利用していると推定する管理装置。
５．  １から４のいずれかに記載の管理装置において、
複数の前記携帯端末装置を登録することができ、
前記生活パターン推定手段は、登録されている前記携帯端末装置を所有しているユーザごとに、前記生活パターンを推定する管理装置。
６．  ５に記載の管理装置において、
複数の前記携帯端末装置各々から取得した前記ユーザ状況情報各々に基づいて特定した所定のタイミングを起点としたユーザの生活パターンを推定する管理装置。
７．  １から６のいずれかに記載の管理装置において、
前記ユーザ状況情報取得手段は、所定のタイミングで前記携帯端末装置に前記ユーザ状況情報のリクエストを送信し、当該リクエストに応じて前記携帯端末装置が収集し、送信してきた前記ユーザ状況情報を取得する管理装置。
８．  １から６のいずれかに記載の管理装置において、
前記ユーザ状況情報取得手段は、所定のタイミングで前記携帯端末装置が収集し、送信してきた前記ユーザ状況情報を取得する管理装置。
９．  １から８のいずれかに記載の管理装置において、
前記電気機器動作情報取得手段は、前記所定の単位内に設置された電力測定装置から前記所定の単位内における電力使用量を示す電力使用情報を取得し、前記電力使用情報に基づいて、複数の前記電気機器各々の動作状態を示す前記電気機器動作情報を生成する管理装置。
１０．  １から９のいずれかに記載の管理装置において、
前記生活パターン推定手段が推定した前記生活パターンに基づいて、複数の前記電気機器を制御する電気機器制御手段をさらに有する管理装置。
１１．  １０に記載の管理装置において、
前記電気機器制御手段は、前記ユーザ状況情報取得手段から前記ユーザ状況情報を取得し、当該ユーザ状況情報に基づいて、前記電気機器を前記生活パターンに従った態様で動作させる条件が満たされているか否か確認し、満たされている場合、前記電気機器を前記生活パターンに従った態様で動作させる管理装置。
１２．  １から９のいずれかに記載の管理装置から前記生活パターンを取得する生活パターン取得手段と、
前記生活パターンに基づいて、複数の前記電気機器を制御する電気機器制御手段と、
を有する動作制御装置。
１３．  １２に記載の動作制御装置において、
前記電気機器制御手段は、予め登録された前記携帯端末装置からユーザの状況を示す前記ユーザ状況情報を取得し、前記ユーザ状況情報に基づいて、前記電気機器を前記生活パターンに従った態様で動作させる条件が満たされているか否か確認し、満たされている場合、前記電気機器を前記生活パターンに従った態様で動作させる動作制御装置。
１４．  １から９のいずれかに記載の管理装置と、１２または１３に記載の動作制御装置と、を有する電気機器管理システム。
１５．  コンピュータを、
所定の単位内に設置されている複数の電気機器各々の動作状態を示す電気機器動作情報を取得する電気機器動作情報取得手段、
予め登録された携帯端末装置から、当該携帯端末装置を所有しているユーザの状況を示すユーザ状況情報を取得するユーザ状況情報取得手段、
前記電気機器動作情報及び前記ユーザ状況情報に基づいて、前記所定の単位内で生活するユーザの生活パターンを推定する生活パターン推定手段、
として機能させるためのプログラム。
１５−２．  １５に記載のプログラムにおいて、
前記生活パターン推定手段に、前記生活パターンとして、ユーザによる前記電気機器の利用パターンを推定させるプログラム。
１５−３．  １５または１５−２に記載のプログラムにおいて、
前記ユーザ状況情報取得手段に、前記ユーザ状況情報として位置情報を取得させるプログラム。
１５−４．  １５−３に記載のプログラムにおいて、
前記生活パターン推定手段に、稼働中の前記電気機器と所定の位置関係にある前記携帯端末装置を所有しているユーザが、当該電気機器を利用していると推定させるプログラム。
１５−５．  １５から１５−４のいずれかに記載のプログラムにおいて、
複数の前記携帯端末装置を登録することができ、
前記生活パターン推定手段に、登録されている前記携帯端末装置を所有しているユーザごとに、前記生活パターンを推定させるプログラム。
１５−６．  １５−５に記載のプログラムにおいて、
複数の前記携帯端末装置各々から取得した前記ユーザ状況情報各々に基づいて特定した所定のタイミングを起点としたユーザの生活パターンを推定させるプログラム。
１５−７．  １５から１５−６のいずれかに記載のプログラムにおいて、
前記ユーザ状況情報取得手段に、所定のタイミングで前記携帯端末装置に前記ユーザ状況情報のリクエストを送信させ、当該リクエストに応じて前記携帯端末装置が収集し、送信してきた前記ユーザ状況情報を取得させるプログラム。
１５−８．  １５から１５−６のいずれかに記載のプログラムにおいて、
前記ユーザ状況情報取得手段に、所定のタイミングで前記携帯端末装置が収集し、送信してきた前記ユーザ状況情報を取得させるプログラム。
１５−９．  １５から１５−８のいずれかに記載のプログラムにおいて、
前記電気機器動作情報取得手段に、前記所定の単位内に設置された電力測定装置から前記所定の単位内における電力使用量を示す電力使用情報を取得させ、前記電力使用情報に基づいて、複数の前記電気機器各々の動作状態を示す前記電気機器動作情報を生成させるプログラム。
１５−１０．  １５から１５−９のいずれかに記載のプログラムにおいて、
前記コンピュータを、前記生活パターン推定手段が推定した前記生活パターンに基づいて、複数の前記電気機器を制御する電気機器制御手段としてさらに機能させるプログラム。
１５−１１．  １５−１０に記載のプログラムにおいて、
前記ユーザ状況情報取得手段から前記ユーザ状況情報を取得し、当該ユーザ状況情報に基づいて、前記電気機器を前記生活パターンに従った態様で動作させる条件が満たされているか否か確認し、満たされている場合、前記電気機器を前記生活パターンに従った態様で動作させる処理を前記電気機器制御手段に実行させるプログラム。
１６．  コンピュータを、
１から９のいずれかに記載の管理装置から前記生活パターンを取得する生活パターン取得手段、
前記生活パターンに基づいて、複数の前記電気機器を制御する電気機器制御手段、
として機能させるためのプログラム。
１６−２．  １６に記載のプログラムにおいて、
予め登録された前記携帯端末装置からユーザの状況を示す前記ユーザ状況情報を取得し、前記ユーザ状況情報に基づいて、前記電気機器を前記生活パターンに従った態様で動作させる条件が満たされているか否か確認し、満たされている場合、前記電気機器を前記生活パターンに従った態様で動作させる処理を、前記電気機器制御手段に実行させるプログラム。
１７．  コンピュータが、
所定の単位内に設置されている複数の電気機器各々の動作状態を示す電気機器動作情報を取得する電気機器動作情報取得工程と、
予め登録された携帯端末装置から、当該携帯端末装置を所有しているユーザの状況を示すユーザ状況情報を取得するユーザ状況情報取得工程と、
前記電気機器動作情報及び前記ユーザ状況情報に基づいて、前記所定の単位内で生活するユーザの生活パターンを推定する生活パターン推定工程と、
を実行する管理方法。
１７−２．  １７に記載の管理方法において、
前記生活パターン推定工程では、前記生活パターンとして、ユーザによる前記電気機器の利用パターンを推定する管理方法。
１７−３．  １７または１７−２に記載の管理方法において、
前記ユーザ状況情報取得工程では、前記ユーザ状況情報として位置情報を取得する管理方法。
１７−４．  １７−３に記載の管理方法において、
前記生活パターン推定工程では、稼働中の前記電気機器と所定の位置関係にある前記携帯端末装置を所有しているユーザが、当該電気機器を利用していると推定する管理方法。
１７−５．  １７から１７−４のいずれかに記載の管理方法において、
複数の前記携帯端末装置を登録することができ、
前記生活パターン推定工程では、登録されている前記携帯端末装置を所有しているユーザごとに、前記生活パターンを推定する管理方法。
１７−６．  １７−５に記載の管理方法において、
複数の前記携帯端末装置各々から取得した前記ユーザ状況情報各々に基づいて特定した所定のタイミングを起点としたユーザの生活パターンを推定する管理方法。
１７−７．  １７から１７−６のいずれかに記載の管理方法において、
前記ユーザ状況情報取得工程では、所定のタイミングで前記携帯端末装置に前記ユーザ状況情報のリクエストを送信し、当該リクエストに応じて前記携帯端末装置が収集し、送信してきた前記ユーザ状況情報を取得する管理方法。
１７−８．  １７から１７−６のいずれかに記載の管理方法において、
前記ユーザ状況情報取得工程では、所定のタイミングで前記携帯端末装置が収集し、送信してきた前記ユーザ状況情報を取得する管理方法。
１７−９．  １７から１７−８のいずれかに記載の管理方法において、
前記電気機器動作情報取得工程では、前記所定の単位内に設置された電力測定装置から前記所定の単位内における電力使用量を示す電力使用情報を取得し、前記電力使用情報に基づいて、複数の前記電気機器各々の動作状態を示す前記電気機器動作情報を生成する管理方法。
１７−１０．  １７から１７−９のいずれかに記載の管理方法において、
前記コンピュータが、前記生活パターン推定工程で推定した前記生活パターンに基づいて、複数の前記電気機器を制御する電気機器制御工程をさらに実行する管理方法。
１７−１１．  １７−１０に記載の管理方法において、
前記電気機器制御工程では、前記ユーザ状況情報に基づいて、前記電気機器を前記生活パターンに従った態様で動作させる条件が満たされているか否か確認し、満たされている場合、前記電気機器を前記生活パターンに従った態様で動作させる管理方法。
１８．  コンピュータが、
１から９のいずれかに記載の管理装置から前記生活パターンを取得する生活パターン取得工程と、
前記生活パターンに基づいて、複数の前記電気機器を制御する電気機器制御工程と、
を実行する動作制御方法。
１８−２．  １８に記載の動作制御方法において、
前記電気機器制御工程では、予め登録された前記携帯端末装置からユーザの状況を示す前記ユーザ状況情報を取得し、前記ユーザ状況情報に基づいて、前記電気機器を前記生活パターンに従った態様で動作させる条件が満たされているか否か確認し、満たされている場合、前記電気機器を前記生活パターンに従った態様で動作させる動作制御方法。
【０１１８】
この出願は、２０１４年２月２５日に出願された日本出願特願２０１４−０３４１８６号を基礎とする優先権を主張し、その開示の全てをここに取り込む。
【図１】
2015129566.tif 000003
【図２】
2015129566.tif 000004
【図３】
2015129566.tif 000005
【図４】
2015129566.tif 000006
【図５】
2015129566.tif 000007
【図６】
2015129566.tif 000008
【図７】
2015129566.tif 000009
【図８】
2015129566.tif 000010
【図９】
2015129566.tif 000011
【国際調査報告】
2015129566.tif 000012
2015129566.tif 000013